(57)【特許請求の範囲】
【請求項１】
ブラケットベースに回転可能に支持された巻取パイプの内部に巻取スプリングを収容し、前記巻取スプリングの蓄勢力によって巻取パイプにスクリーンを巻き取るロールスクリーンの昇降装置であって、
前記スクリーンの巻取速度を調整する速度調整機構が備えられ、
前記速度調整機構は、
前記ブラケットベースに一体に形成され、内側に張り出した支持円筒と、
楔状の係止片が設けられた係合突起を前記支持円筒に嵌合することによってワンタッチで前記ブラケットベースに回転可能に取り付けられた調整ダイヤルと、
前記支持円筒の内部に配置され、巻き始め部と巻き終わり部を内側に曲げることによって形成された係合端部を備えた調整バネと、
先端部に前記調整バネの前記係合端部と係合する係合部が形成されると共に当該先端部が前記調整ダイヤルに挿入されて支承され、他端がインナーパイプに連結されたシャフトと、
を有し、
組み立て状態においては、前記調整ダイヤルの内部で回転自在とされた前記シャフトの係合部に前記調整バネの前記係合端部をそれぞれ係合させると共に、前記係合端部の外側に前記調整ダイヤルの前記係合突起が配置され、さらに前記係合突起の外側に前記調整バネが位置するように構成され、前記調整ダイヤルを回すとそれと連動して回転する前記係合突起が前記調整バネの前記係合端部に当接して前記調整バネを移動させると共に当該調整バネの係合端部が前記シャフトの前記係合部に当接して前記シャフトを回転させ、他方、前記シャフトを回転させると、当該シャフトの係合部が前記調整バネの前記係合端部に当接して当該調整バネを回転させるが前記調整ダイヤルの係合突起は移動しないようにした
ことを特徴とするロールスクリーンの昇降装置。
【発明の詳細な説明】
【技術分野】
【０００１】
本発明は、ロールスクリーンの巻き上げ速度を調整することができるロールスクリーンの昇降装置に関する。
【背景技術】
【０００２】
従来、ロールスクリーンにおいては、ロールスクリーンを設置後、ロールスクリーンの昇降速度を適正な速度に調整する必要があり、そのためロールスクリーンの巻き上げ速度の調整機構が取り付けられているロールスクリーンの昇降装置があった。この種のロールスクリーンの昇降装置として、特許第３３９３０４７号公報に示すようなロールスクリーンの初巻き調整装置があった。
【０００３】
この特許第３３９３０４７号公報に示すようなロールスクリーンの初巻き調整装置は、サイドプレートに回転可能に支持された巻取パイプの内部にスプリングを収容し、スプリングの蓄勢力によって巻取パイプにスクリーンを巻き取るロールスクリーンのスプリングの初巻き調整装置であって、サイドプレートに固定されるクラッチドラムと、クラッチドラムの中心孔を抜けてサイドプレートに設けた開口から一端が露出されるようにして該サイドプレートに回転可能に取り付けられ、該開口から回転操作可能な調整ドラムと、調整ドラムの外周に取り付けられ、巻取パイプとサイドプレートとの間に配設される調整ダイヤルと、スプリングの一端に連結され調整ドラムの回転をスプリングに伝達する駆動ドラムと、調整ダイヤルの内側且つクラッチドラムの外周側に設けられて、調整ドラムまたは調整ダイヤルの回転により緩んでその回転を駆動ドラムへ伝達すると共に、スプリング側からの回転によりクラッチドラムに締結して調整ドラム及び調整ダイヤルへの伝達を阻止するクラッチバネと、を備えたものである。
【先行技術文献】
【特許文献】
【０００４】
【特許文献１】特許第３３９３０４７号公報第１頁
【発明の開示】
【発明が解決しようとする課題】
【０００５】
しかしながら、上述した特許文献１のロールスクリーンの初巻き調整装置は、調整ダイヤルでスプリングの初巻きを調整できるものの、この調整装置は構成部品として、サイドプレート、調整ダイヤル、クラッチドラム、調整ドラム、駆動ドラム、クラッチスプリングを必要とし、構成部品か多いという問題があった。そのため、サイドプレートとクラッチドラムの組付けにネジを使用して固定したり、調整ドラムと駆動ドラムをネジを使用して固定する必要があり、組立に手間がかかるという問題があった。
【０００６】
また、駆動ドラムはシャフトを貫通させる必要があるため、巻取スプリングを取り付けているシャフトは強度を必要とすることから、所定の太さを備えている。さらに、このシャフトを貫通させている駆動ドラム所定の肉厚を必要とすることから、所定の外形寸法を必要とし、この調整装置の構造を採用する限りにおいては小型化は難しいという問題があった。
【０００７】
本発明は、上述した従来の問題に鑑みなされたもので、調整装置の部品点数を減らして小型を可能とし、しかも調整装置の組立てが簡単にできるロールスクリーンの巻き上げ速度調整機構を提供するものである。
【課題を解決するための手段】
【０００８】
本発明は、上記課題を解決するため、ブラケットベースに回転可能に支持された巻取パイプの内部に巻取スプリングを収容し、前記巻取スプリングの蓄勢力によって巻取パイプにスクリーンを巻き取るロールスクリーンの昇降装置であって、前記スクリーンの巻取速度を調整する速度調整機構が備えられ、前記速度調整機構は、前記ブラケットベースに一体に形成され、内側に張り出した支持円筒と、楔状の係止片が設けられた係合突起を前記支持円筒に嵌合することによってワンタッチで前記ブラケットベースに回転可能に取り付けられた調整ダイヤルと、前記支持円筒の内部に配置され、巻き始め部と巻き終わり部を内側に曲げることによって形成された係合端部を備えた調整バネと、先端部に前記調整バネの前記係合端部と係合する係合部が形成されると共に当該先端部が前記調整ダイヤルに挿入されて支承され、他端がインナーパイプに連結されたシャフトと、を有し、組み立て状態においては、前記調整ダイヤルの内部で回転自在とされた前記シャフトの係合部に前記調整バネの前記係合端部をそれぞれ係合させると共に、前記係合端部の外側に前記調整ダイヤルの前記係合突起が配置され、さらに前記係合突起の外側に前記調整バネが位置するように構成され、前記調整ダイヤルを回すとそれと連動して回転する前記係合突起が前記調整バネの前記係合端部に当接して前記調整バネを移動させると共に当該調整バネの係合端部が前記シャフトの前記係合部に当接して前記シャフトを回転させ、他方、前記シャフトを回転させると、当該シャフトの係合部が前記調整バネの前記係合端部に当接して当該調整バネを回転させるが前記調整ダイヤルの係合突起は移動しないようにしたことを特徴とするものである。
【発明の効果】
【０００９】
本発明は上述のように構成されたことにより、速度調整機構の調整ダイヤルを回転することによりシャフトを回転させ、巻取スプリングを締め付けまたは解いて蓄勢力を簡単に調整できるものである。
【００１０】
また、本発明は、シャフトに形成した係合部により調整バネを直接シャフトの上に係合させたので、シャフトと調整バネの間に介在させる調整ドラムや駆動ドラムが不要となり、部品点数が削減されると共に小型が可能になる。
【００１１】
さらに、本発明は、調整ダイヤルの係合突起がブラケットベースにワンタッチで回転可能に取り付けることができるので、組立作業が簡単になり、組立作業の手間が省けると共にコストの削減ができるものである。
【図面の簡単な説明】
【００１２】
【図１】本発明に係るロールスクリーンの昇降装置が取り付けられたロールスクリーンの一端部を示す半断面図である。
【図２】図１のロールスクリーンの側面図である。
【図３】図１のロールスクリーンの分解斜視図である。
【図４】図１のロールスクリーンの速度調整機構の動作を説明する説明図である。
【発明を実施するための形態】
【００１３】
本発明に係るロールスクリーンの昇降装置の最良の形態について図を参照して説明する。
図１は本発明に係るロールスクリーンの昇降装置が取り付けられたロールスクリーンの一端部を示す半断面図、図２は図１のロールスクリーンの斜視図、図３は図１のロールスクリーンの分解斜視図、図４は図１のロールスクリーンの速度調整機構の動作を説明する説明図である。
【００１４】
本発明に係るロールスクリーンの昇降装置は、図１または図２に示すように、窓枠などに固定されるセットフレーム１に取り付けられたブラケットベース２と、ブラケットベース２により回転可能に支持された巻取パイプ３と、巻取パイプ３に一端が連結されると共にこの巻取パイプ３に巻取り、巻解き可能に吊り下げられたスクリーン４と、を備えている。
【００１５】
この巻取パイプ３の内部には、巻取スプリング５が収容されており、この巻取スプリング５の一端は後述するローテータ７に固定され、他端は図示しないが巻取パイプ３に固定されている。そして、巻取パイプ３がスクリーン巻解き方向に回転されると巻取スプリング５の他端が巻取パイプ３と一体に回転して蓄勢され、巻取パイプ３の巻取り方向へ回転されると巻取スプリング５の蓄勢力によって巻取パイプ３が巻取り方向へと回転し、スクリーン４を巻き取るようになっている。そして、このロールスクリーンの昇降装置は、内側ホルダ１６、外側ホルダ１７、クラッチバネ１８、シャフト１４に形成された図示しないロックカムから構成されるクラッチ機構を備えており、スクリーン４を任意の位置で自在に停止できるようになっている。
【００１６】
また、このロールスクリーンの昇降装置には、巻取スプリング５の蓄勢力を調整して巻取速度を調整する巻取速度機構１０が備えられている。この調整機構１０は、図３に示すように、ブラケットベース２に一体に形成され、内側に張り出した支持円筒１１と、このブラケットベース２の支持円筒１１に嵌合し、回転可能に支持された調整ダイヤル１２と、この調整ダイヤル１２の中心部の挿入部１２ｃに挿入されシャフト１４の係合部１４ａに係合する調整バネ１３と、調整ダイヤル１２に一端が軸支された先端に楔状の係止端が設けられ、軸方向に突設された係合部１４ａが形成されたシャフト１４と、から構成されている。
【００１７】
ブラケットベース２は、ＰＯＭ樹脂等の合成樹脂材料から略逆Ｌ字状に形成されており、上部には、天井や窓に取り付けられたセットフレームに取り付けるための取付部２ａが形成され、固定用のネジ孔２ｂが形成されている。また、このブラケットベース２の下部には調整ダイヤル１２を取り付けるための段付きの取付孔２ｃが形成され、内側に円筒形の支持円筒１１が一体に形成されている。
【００１８】
また、調整ダイヤル１２は、ＰＯＭ樹脂等の合成樹脂材料から略段付き円筒形に形成され、外周につまみ用のローレット１２ａが形成されており、中心側にワンタッチで調整ダイヤル１２をブラケットベース２に装着するための楔状に形成された二つの係合突起１２ｂが突設され、内部に調整バネ１３を挿入して固定するための挿入部１２ｃが形成されている。
【００１９】
また、調整バネ１３は、巻き始めと巻き終わり部が内側に曲げられて係合端部１３ａ，１３ｂが形成されており、後述するように、シャフト１４の係合部１４ａに係合するようになっている。シャフト１４は、先端部が調整ダイヤル１２に挿入されて支承され、この先端部が調整バネ１３の係合端部１３ａ，１３ｂと係合する係合部１４ａが形成されている。そして、この係合部１４ａの後側にはストッパーとなる鍔部１４ｂが形成されており、さらに、中間部には図示しないロック機構用のロックカムが形成され、後端部はインナーパイプ６（図１参照）に締結されている。
【００２０】
このように構成された調整機構１０を組み立てるには、先ず、調整ダイヤル１２にシャフト１４を挿入し、この状態で調整バネ１３を調整ダイヤル１２の挿入部１２ｃに挿入する。そして、この状態で調整ダイヤル１２の係合突起１２ｂをブラケットベース２に挿入し、先端の係止端を壁面に係合させる。この調整機構１０の組立は、ネジ止め等の手間が必要ないので、簡単に組み立てができるものである。
【００２１】
次に、このように組み立てられた調整機構１０の動作について図４を参照して説明する。先ず、調整機構１０が組み立てられた状態では、図４（ａ）に示すように、回転自在な中心部のシャフト１４の係合部１４ａに、調整バネ１３の係合端部１３ａ，１３ｂがそれぞれ係合した状態となっており、その外側に調整ダイヤル１２の係合突起１２ｂが配置され、その外側に挿入部１２ｃに挿入された調整バネ１３が位置するようになっている。
【００２２】
この状態より、図４（ｂ）に示すように、調整ダイヤル１２を矢印のように時計廻り方向に回すと、調整ダイヤル１２の係合突起１２ｂも一緒に回るので、係合突起１２ｂの右端が調整バネ１３の端部１３ａに当たり、調整バネ１３を時計廻り方向に移動させる。すると調整バネ１３の端部１３ａも時計廻り方向に回転するので、端部１３ａはシャフト１４の係合部１４ａに当たり、シャフト１４を時計廻り方向に回転させるものである。同様にして、調整ダイヤル１２を反時計廻り方向に回すと、シャフト１４を反時計廻り方向に回転させることができる。
【００２３】
一方、図４（ｃ）に示すように、シャフト１４を時計廻り方向に回転させた場合は、シャフト１４の係合部１４ａが調整バネ１３の端部１３ｂに当たり、調整バネ１３を時計廻り方向に回転させる。しかし、この場合は、調整バネ１３は移動しても調整ダイヤル１２の係合突起１２ｂは動作しないものである。
【００２４】
上述のように構成されたロールスクリーンの昇降装置は、速度調整機構１０の調整ダイヤル１２を回転することによりシャフト１４を回転させ、巻取スプリングを締め付けまたは解いて蓄勢力を簡単に調整できるものである。また、シャフト１４に形成した係合止部１４ａにより調整バネ１３を直接シャフト１４の上に係合させたので、シャフト１４と調整バネ１３の間に介在させる調整ドラムや駆動ドラムが不要となり、部品点数が削減されると共に小型が可能になる。そして、調整ダイヤル１２の係合突起１２ｂがブラケットベース２にワンタッチで回転可能に取り付けることができるので、組立作業が簡単になり、組立作業の手間が省けると共にコストの削減ができるものである。
【００２５】
尚、本発明は上述した実施の形態に限定されるものではなく、特許請求の範囲内で様々の態様が可能なことは勿論である。例えば、形状、材料などは適宜選択できることは勿論である。
【符号の説明】
【００２６】
１      セットフレーム
２      ブラケットベース
２ａ      取付部
２ｂ      ネジ孔
２ｃ      取付孔
３      巻取パイプ
４      スクリーン
５      巻取スプリング
６      インナーパイプ
７      ローテータ
１０      速度調整機構
１１      支持円筒
１２      調整ダイヤル
１２ａ      ローレット
１２ｂ      係合突起
１３      調整バネ
１３ａ      係合端部
１３ｂ      係合端部
１４      シャフト
１４ａ      係合部
１４ｂ      鍔部
【図１】
0004632888.tif 000002
【図２】
0004632888.tif 000003
【図３】
0004632888.tif 000004
【図４】
0004632888.tif 000005